(57)【要約】【課題】  マンホール内への雨水や土砂の流入を長期にわたり確実に防止すると共に、施錠機能を確実に発揮する地下構造物用蓋の施錠構造を提供する。【解決手段】  受枠２の錠座２ｂに係合する係合突起１１ａを備え、かつ蓋本体３の開口部３ｂの下方に枢支される錠本体１１と、錠本体１１に弾性部材１４を介して押下可能に取り付けられる閉塞部材１２とからなり、閉塞部材１２には、蓋本体の開口部３ｂに嵌入する第１閉塞部１２ａと、開口部３ｂの下方に形成した筒状部３ｃに嵌入する第２閉塞部１２ｂと、筒状部３ｃの下面３ｄに当接する第３閉塞部１２ｃとを設けた構成としたものである。【選択図】      図１
2005036560.tif 000002
【特許請求の範囲】
【請求項１】
受枠の錠座に係合する係合突起を備え、かつ蓋本体の開口部下方に枢支される錠本体と、前記錠本体に弾性部材を介して押下可能に取り付けられる閉塞部材とからなり、前記閉塞部材には、前記蓋本体の開口部に嵌入する第１閉塞部と、前記開口部下方に形成した筒状部に嵌入する第２閉塞部と、前記筒状部の下面に当接する第３閉塞部とを設けたことを特徴とする地下構造物用蓋の施錠構造。
【請求項２】
前記第３閉塞部には、弾性シール材を設けた請求項１に記載の地下構造物用蓋の施錠構造。
【請求項３】
前記閉塞部材が押圧され下降する際に、前記閉塞部材の下降軌道がずれないように誘導する案内面を前記錠本体に設け、前記閉塞部材が押圧され下降する際に、前記案内面を摺動する凸部を前記第３閉塞部に設けた請求項１に記載の地下構造物用蓋の施錠構造。
【発明の詳細な説明】
【技術分野】
【０００１】
本発明は、地下構造物用蓋の施錠構造に関する。
なお、本願明細書でいう「地下構造物用蓋」とは、下水道における地下埋設物，地下構造施設等と地上とを通じる開口部を閉塞する大型鉄蓋，マンホール蓋，汚水桝蓋、電力・通信における地下施設機器や地下ケーブル等を保護する開閉可能な共同溝用鉄蓋，送電用鉄蓋，配電用鉄蓋、上水道やガス配管における路面下の埋設導管およびその付属機器と地上とを結ぶ開閉扉としての機能を有する消火栓蓋，制水弁蓋，仕切弁蓋，空気弁蓋，ガス配管用蓋，量水器蓋等を総称する。
【背景技術】
【０００２】
蓋本体と受枠とを施錠するための施錠構造を設けた地下構造物用蓋においては、解錠および開蓋する際に開閉工具を挿入するための開口部が蓋本体の周縁部に設けられているのが一般的である。この蓋本体の周縁部に設けた開口部から雨水や土砂等が流入し、下水処理場における処理負荷が増大するのを防止するために、従来より、開口部を閉塞板等で閉塞することが行われており、この例としては、特許文献１に示す地下構造物用蓋の開口部閉塞装置がある。
【０００３】
この開口部閉塞装置は、蓋本体の周縁部に開蓋工具を挿入するための開口部を形成し、該開口部を塞ぐ大きさを有し、開口部から挿入された開蓋工具により押されて内方へ開く閉塞板をゴムまたは合成樹脂により形成するとともに、閉塞状態において閉塞板先端の可動端が枠体の内周に当接して開口部を閉塞するようにしている。
【特許文献１】実公平７−２７１５号公報（第１図）
【発明の開示】
【発明が解決しようとする課題】
【０００４】
しかしながら、上記した開口部閉塞装置においては、閉塞板の上面が蓋本体の表面位置から一定高さ低い位置にあり、開口部には空間部分が存在しているため、この空間部分に土砂等が溜まり、開蓋時に開閉工具による開蓋操作がし難く、またゴムまたは合成樹脂により形成した閉塞板が土砂等との接触により早期に劣化して、止水効果を損なうという問題があった。
【０００５】
また、閉塞板の先端を受枠の内周に当接させることにより開口部を閉塞しているため、開閉工具を挿入するたびに閉塞板の先端と枠体の内周とが摩擦することになり、経年変化により閉塞板が劣化して、止水効果を損なうという問題もあった。
本発明は、上述の点に鑑みてなされたもので、マンホール内への雨水や土砂の流入を長期にわたり確実に防止すると共に、施錠機能を確実に発揮する地下構造物用蓋の施錠構造を提供することを目的する。
【課題を解決するための手段】
【０００６】
上記目的を達成するため、請求項１の発明では、受枠の錠座に係合する係合突起を備え、かつ蓋本体の開口部下方に枢支される錠本体と、前記錠本体に弾性部材を介して押下可能に取り付けられる閉塞部材とからなり、前記閉塞部材には、前記蓋本体の開口部に嵌入する第１閉塞部と、前記開口部下方に形成した筒状部に嵌入する第２閉塞部と、前記筒状部の下面に当接する第３閉塞部とを設けたことを特徴としている。
【０００７】
蓋本体が受枠に嵌合されて閉蓋されているときには、錠本体の係合突起が受枠の錠座における錠止位置に位置し施錠状態にある。そして、閉塞部材は、弾性部材により第１閉塞部が開口部に嵌入し、第２閉塞部が筒状部に嵌入し、第３閉塞部が筒状部下面に当接して常時弾性的に蓋本体の開口部を閉塞している。このように蓋本体の開口部およびその下方に形成した筒状部は、閉塞部材により常時弾性的に閉塞されるため、マンホール内への雨水や土砂の流入を確実に防止することができる。また、マンホール内で乱流揚圧水が発生した場合や、地下構造物用蓋を坂道に設置した場合における不意の解錠を防止することができる。
【０００８】
開蓋の際には、開蓋工具の先端側に形成された圧下部を蓋本体の開口部から押し込み閉塞部材を押し下げた後開蓋工具を回動させると、圧下部が錠本体を押し下げて係合突起が受枠の錠座から離隔し、解錠される。
請求項２の発明では、前記第３閉塞部には、弾性シール材を設けた構成としている。
請求項３の発明では、前記閉塞部材が押圧され下降する際に、前記閉塞部材の下降軌道がずれないように誘導する案内面を前記錠本体に設け、前記閉塞部材が押圧され下降する際に、前記案内面を摺動する凸部を前記第３閉塞部に設けた構成としている。
【発明の効果】
【０００９】
請求項１の発明によれば、蓋本体の開口部は第１閉塞部により、開口部の下方に形成した筒状部は第２閉塞部により、筒状部の下面は第３閉塞部によりそれぞれ常時弾性的に閉塞されているため、マンホール内への雨水や土砂の流入を確実に防止することができる。すなわち、蓋本体の開口部は第１閉塞部により閉塞されているため土砂の流入が防止され、筒状部およびその下面は第２閉塞部および第３閉塞部により閉塞されているため雨水等の流入が防止される。また、請求項１の発明によれば、マンホール内で乱流揚圧が発生した場合や、地下構造物用蓋を坂道に設置した場合における不意の解錠を防止することができる。
【００１０】
請求項２の発明によれば、第３閉塞部に弾性シール材が設けられているため、第３閉塞部による筒状部下面のシール性が向上して、雨水の浸入をより確実に防止することができる。また、第３閉塞部に設けた弾性シール材は、直接、車両通過による荷重を受けたり、土砂と接触したりすることがないため、長期にわたり止水性を維持することができる。
請求項３の発明によれば、閉塞部材は、押圧されて下降または弾性部材による復元力により上昇する際に、第３閉塞部に設けた凸部が錠本体の案内面により誘導されるため、下降または上昇の軌道がずれることを防止できる。このため開閉操作完了後に、閉塞部材が弾性部材による復元力により上昇した際に、開口部および筒状部ならびに筒状部の下面を確実に閉塞することができる。
【発明を実施するための最良の形態】
【００１１】
【実施例】
【００１２】
以下、本発明の実施例を図面に基づいて説明する。
図１は、本発明に係る地下構造物用蓋の施錠構造を適用した地下構造物用蓋の断面図を示す。地下構造物用蓋１は、受枠２と、この受枠２の内周面２ａに縁巻部３ａがテーパ嵌合により装着される蓋本体３とにより構成された平面視円形状をなし、前記蓋本体３が地表面と面一をなすように設置される。蓋本体３は、一側に設けられた蝶番機構４により受枠２に連結されており、他側に設けられた施錠構造５により受枠２に係合されて内部圧力等による開蓋および浮き上がりを防止されている。蓋本体３は、開蓋時には蓋本体３の外周上面から縁巻部３ａの途中にかけて開設された開口部３ｂに開蓋専用工具としてのバール２０（図９）の先端に形成された圧下部２０ａが挿入されて解錠されるとともに、バール２０により受枠２の上方に引き上げられ、蝶番機構４を介して水平旋回、または垂直反転によって開蓋される。
【００１３】
受枠２には内周面２ａの下部に施錠構造５を構成する錠本体１１と対応する位置に錠座２ｂが凹設されており、この錠座２ｂの上部開口縁に錠止突起２ｃが下方に臨んで設けられている。錠止突起２ｃは、蓋本体３が引き上げられ、または揚圧により押し上げられた際に錠本体１１の係合突起１１ａが係合可能とされている。
図２は、蓋本体３の開口部３ｂを斜め下方から見た斜視図を示し、開口部３ｂの下方にこの開口部３ｂよりも大きい角筒形の筒状部３ｃが設けられ、この筒状部３ｃの下面３ｄは、縁巻部３ａの下端近傍から蓋本体中心方向斜め上方に傾斜する傾斜面とされている。また、開口部３ｂの左右両側の下面には山形をなす三角形状の突起部３ｆ、３ｆが設けられている。
【００１４】
蓋本体３の下面には筒状部３ｃの下面３ｄの左右両側に錠本体１１を支持する支持部６が一体に形成されている。支持部６の左右両側壁６ａ、６ａの内面には錠本体１１の軸受としてのスリット６ｂ、６ｂが対向して設けられており、これらのスリット６ｂは、縁巻部３ａ側から蓋本体中心方向に向かって水平に、かつ中心側に開口している。また、後壁６ｃの中央に取付部６ｄが設けられ、ボルト孔６ｅが設けられている。
【００１５】
図３は、図１に示す施錠構造５を構成する施錠体７の分解斜視図を示し、図４は、図３に示す錠本体１１の背面から見た斜視図を示す。図３、図４および図６に示すように施錠体７の錠本体１１は、前側（蓋本体３の外周側）に係合突起１１ａが下端側から斜め上方に略Ｖ字状に延出して形成され、後側下部位置に錘部１１ｂが設けられている。係合突起１１ａと錘部１１ｂとの間に上下方向に空洞部１１ｃ（図８）が設けられて軽量化が図られている。両側部１１ｄ、１１ｄの上端にそれぞれ支持軸１１ｅ、１１ｅが側方に突出して形成されており、内面の前側に上部から係合突起１１ａとの連設部近傍位置まで案内面１１ｆ、１１ｆが設けられている。これら左右の案内面１１ｆ、１１ｆは、閉塞部材１２の前部の左右隅部に設けられた案内用の凸部１２ｈ、１２ｈ（図３）の側面が摺接可能とされ、閉塞部材１２の左右方向へのズレを抑える案内面としての機能を有している。錘部１１ｂの上部は、ばね座１１ｈとされ、中央に角穴１１ｇがその軸線が支持軸１１ｅよりやや後方（蓋本体中心側）になるように上下方向に設けられている。この角穴１１ｇの下部は、図８に示すように大径とされており、閉塞部材１２の支持軸１２ｄの下端に固定されたストッパ１６が移動可能とされている。
【００１６】
図３および図５に示すように閉塞部材１２は、錠本体１１に押下可能に取り付けられて蓋本体３の開口部３ｂおよびその下方に形成した筒状部３ｃを開閉可能に閉塞するためのもので、開口部３ｂに嵌入する第１閉塞部１２ａと、筒状部３ｃ（空間部）に嵌入する第２閉塞部１２ｂと、筒状部３ｃの下面３ｄに当接する第３閉塞部１２ｃと、第３閉塞部１２ｃの下面に斜め下方に延出して設けられた支持軸１２ｄとからなる。
【００１７】
第１閉塞部１２ａは、開口部３ｂに下方から嵌入して閉塞可能とされている。第２閉塞部１２ｂは、第１閉塞部１２ａの左右両側に側方に延出して形成され、筒状部３ｃ（空間部）に上下方向に移動可能に収納されて当該筒状部３ｃを閉塞可能とされている。第３閉塞部１２ｃは、第２閉塞部１２ｂの下方に設けられ、上面が筒状部３ｃの下面３ｄに当接して閉塞可能とされている。第２閉塞部１２ｂと第３閉塞部１２ｃとの連設部１２ｅには左右両側に前面から後面まで係合用のスリット１２ｆ、１２ｆが設けられており、連設部１２ｅの上面１２ｇは、前端から後端に向かって斜め上方に傾斜する傾斜面とされている。第３閉塞部１２ｃの前側左右隅部に案内用凸部１２ｈ、１２ｈが下方に突出して設けられている。支持軸１２ｄは、角柱状をなし、錠本体１１の錘部１１ｂに設けられた角穴１１ｇに嵌挿されて摺動可能とされ、下端に突起部１２ｉが設けられている。
【００１８】
図３および図５に示すように弾性シール材としてのパッキン１３は、閉塞部材１２の第３閉塞部１２ｃに装着されて筒状部３ｃの下面３ｄを密閉するためのもので、第１、第２閉塞部１２ａ、１２ｂを通す穴１３ａの前縁部および両側縁部上面にコ字状の凸条をなす係合部１３ｂが設けられており、両側部の内側下面に閉塞部材１２の連設部１２ｅの側面および上面１２ｇに外嵌して係合する切欠１３ｃが設けられている。また、外周面両側部および後部には第３閉塞部の両側部および後部に外嵌して固定するための係合部１３ｄが下方にフランジ状に設けられている。このパッキン１３は、ゴム部材で形成されている。
【００１９】
パッキン１３は、下方から穴１３ａに閉塞部材１２の第１、第２閉塞部１２ａ、１２ｂを通して連設部１２ｅのスリット１２ｆ、１２ｆに嵌挿され、係合部１３ｂの左右の切欠１３ｃが連設部１２ｅの左右両側面上部および上面１２ｇの縁部に外嵌係合されて下面が第３閉塞部１２ｃの上面に当接し、係合部１３ｄが第３閉塞部１２ｃの両側部および後部に外嵌される。このようにして、閉塞部材１２の第３閉塞部１２ｃの上面にパッキン１３が装着固定される。
図３に示すように閉塞部材１２の支持軸１２ｄは、弾性部材としてのコイルスプリング１４および防塵用のブーツ１５を介して錠本体１１のばね座１１ｈの角穴１１ｇに挿入されて、下端の突起部１２ｉにストッパ部材としてのストッパ（ワッシャ）１６が取り付けられてカシメ固定される。このようにして、錠本体１１に閉塞部材１２が上下方向に摺動可能に装着される。図６は、図３に示す施錠体７の組立側面図である。
【００２０】
この施錠体７は、図２に示す蓋本体３の開口部３ｂに下方から閉塞部材１２の第１閉塞部１２ａが嵌入され、筒状部３ｃ（空間部）に第２閉塞部１２ｂが嵌入され、筒状部３ｃの下面３ｄに第３閉塞部１２ｃに装着されたパッキン１３の上面が当接され、支持部６の両側壁６ａ、６ａのスリット６ｂ、６ｂに錠本体１１の左右の支持軸１１ｅ、１１ｅが挿入され、図７に示すように固定部材８により逸脱不能とされる。固定部材８は、コ字状をなし、中央部８ａが支持部６の後部突起部６ｄのボルト孔６ｅにボルト９とナット１０とにより固定され、両側部８ｂ、８ｂが側壁６ａ、６ａに沿って前方に延出し、各先端が錠本体１１の支持軸１１ｅ、１１ｅと僅かな間隙を存して対抗してこれらの支持軸１１ｅ、１１ｅをスリット６ｂ、６ｂ内に回動可能、かつ逸脱不能に支持する。このようにして、蓋本体３の開口部３ｂの下方に施錠体７が枢支される。
【００２１】
以下に動作を説明する。
図１および図８に示すように蓋本体３が受枠２に嵌合されているときには、錠本体１１が錘部１１ｂにより垂下して自重により施錠位置に付勢されている。錠本体１１は、施錠位置において係合突起１１ａが受枠２の錠座２ｂに入り込んで錠止突起２ｃの下方に位置している。この状態において閉塞部材１２は、コイルスプリング１４のばね力により押し上げられて第１閉塞部１２ａが開口部３ｂに嵌入し、第２閉塞部１２ｂが筒状部３ｃ（空間部）に嵌入し、第３閉塞部１２ｃのパッキン１３が筒状部３ｃの下面３ｄに密着している。これにより、開口部３ｂが閉塞部材１２により閉塞される。また、錠本体１１は、上述した自重による付勢に加えてコイルスプリング１４の第３閉塞部１２ｃによる反力により施錠位置に付勢されて遊びが抑えられ、施錠位置に保持されている。
【００２２】
この閉蓋状態において作業者以外の者により開蓋すべく蓋本体３が引き上げられたり、あるいはマンホール内部からの揚圧水等による揚圧が蓋本体３に加わって押し上げられた場合、錠本体１１の係合突起１１ａが受枠２の錠止突起２ｃに係合して上動を阻止される。これにより、蓋本体３の開蓋が防止される。また、蓋本体３の開口部３ｂは第１閉塞部１２ａにより、筒状部３ｃ（空間部）は第２閉塞部１２ｂにより、筒状部３ｃの下面３ｄは第３閉塞部１２ｃによりそれぞれ常時弾性的に閉塞されているため、マンホール内への雨水や土砂の流入を確実に防止することができる。また、錠本体１１は、コイルスプリング１４のばね力により遊びが抑えられて施錠位置に保持されていることで、マンホール内で乱流揚圧水が発生した場合や、地下構造物用蓋を坂道に設置した場合における不意の解錠が防止される。
【００２３】
蓋本体３を開蓋するときには図９に示すように専用のバール２０を使用する。このバール２０は、先端の圧下部２０ａが略Ｔ字状をなし、その付根部分２０ｂが軸部２０ｃに対して傾いて（図１０）形成されている。作業者は、バール２０の圧下部２０ａを図９に示すように蓋本体３の開口部３ｂに挿入し、その下面で閉塞部材１２の第１閉塞部１２ａをコイルスプリング１４のばね力に抗して押し下げる。閉塞部材１２は、押し下げられるとこれに伴い第３閉塞部１２ｃの前部左右両隅部の凸部１２ｈの側面が錠本体１１の左右の案内面１１ｆに当接し、これらの案内面１１ｆを摺動して下降する。これにより、閉塞部材１２は、下降する際に軌道のずれが防止されて円滑に下降可能となる。
【００２４】
図９に示すように閉塞部材１２は、下端位置まで押し下げられた状態において第１閉塞部１２ａが開口部３ｂの下方に押し出され、第２閉塞部１２ｂが筒状部３ｃの下方に押し出され、第３閉塞部１２ｃのパッキン１３が下面３ｄから離隔して下方に位置している。
次に、図１０に示すように圧下部２０ａが開口部３ａを跨ぐようにバール２０を９０°回転させ、図１１に示すようにバール２０を矢印Ａ方向に引き寄せて圧下部２０ａの左右両側部を図２に示す開口部３ｂの左右両側に設けられた突起部３ｆと縁巻部３ａの内面との間の凹部３ｇに係合させ、圧下部２０ａの軸部２０ｂの上部を開口部３ｂと対抗する受枠２の内周面２ａの開口端に当接させると、錠本体１１が矢印Ｃで示すように回動し、係合突起１１ａが錠座２ｂから離隔して解錠される。次に、作業者がバール２０を矢印Ｂ方向に引き上げると蓋本体３が持ち上げられて開蓋される。
【００２５】
蓋本体３を閉蓋するときには、錠本体１１を自由な状態としておき、そのまま受枠２に蓋本体３を載置すると、錠本体１１が支持軸１１ｅを中心とした錘部１１ｂの重心位置の作用により回動して錠止位置に係止される。また、閉塞部材１２は、コイルスプリング１４のばね力により押し上げられて第１閉塞部１２ａが開口部３ｂに、第２閉塞部１２ｂが筒状部３ｃ（空間部）にそれぞれ嵌入し、第３閉塞部１２ｃのパッキン１３が筒状部３ｃの下面３ｄに密着して、開口部３ｂを閉塞する。このとき、第３閉塞部１２ｃに設けた凸部１２ｈが錠本体１１に設けた案内面１１ｆにより誘導されるため、閉塞部材１２の軌道がずれることを防止でき、開口部３ｂおよび筒状部３ｃを確実に閉塞することができる。
【図面の簡単な説明】
【００２６】
【図１】本発明に係わる地下構造物用蓋の施錠構造を適用した地下構造物用蓋の断面図である（実施例）。
【図２】図１に示す蓋本体の開口部を斜め下方から見た斜視図を示す。
【図３】図１に示す施錠構造を構成する施錠体の斜め上方から見た分解斜視図である。
【図４】図３に示す錠本体の背面から見た斜視図である。
【図５】図３に示す閉塞部材とパッキンの斜視図である。
【図６】図３に示す施錠体の組立側面図である。
【図７】図１に示す施錠構造の矢線Ａ−Ａに沿う断面図である。
【図８】図１に示す施錠構造の施錠状態における説明図である。
【図９】解錠時に閉塞部材を押し下げる操作の説明図である。
【図１０】図９に示す閉塞部材を押し下げて解錠操作に移行する場合の説明図である。
【図１１】図１０に示す解錠操作の終了状態を示す説明図である。
【符号の説明】
【００２７】
１  地下構造物用蓋
２  受枠
２ａ  内周面
２ｂ  錠座
２ｃ  錠止突起
３  蓋本体
３ｂ  開口部
３ｃ  筒状部
３ｄ  下面
４  蝶番機構
５  施錠構造
６  支持部
７  施錠体
１１  錠本体
１１ａ  係合突起
１１ｂ  錘部
１１ｆ  案内面
１２  閉塞部材
１２ａ  第１閉塞部
１２ｂ  第２閉塞部
１２ｃ  第３閉塞部
１３  パッキン（弾性シール材）
１４  コイルスプリング（弾性部材）
１５  ブーツ
２０  バール（開蓋工具）
２０ａ  圧下部
【図１】
2005036560.tif 000003
【図２】
2005036560.tif 000004
【図３】
2005036560.tif 000005
【図４】
2005036560.tif 000006
【図５】
2005036560.tif 000007
【図６】
2005036560.tif 000008
【図７】
2005036560.tif 000009
【図８】
2005036560.tif 000010
【図９】
2005036560.tif 000011
【図１０】
2005036560.tif 000012
【図１１】
2005036560.tif 000013